(57)【要約】【課題】光学素子などを光学系の光路中に挿脱する際、駆動源の作動を必要とせず弱い力で光学素子などの位置保持を可能とするとともに、弱い力で光学素子などの駆動を可能にして駆動源の消費電力を低減する。【解決手段】駆動源が駆動し、レバー１５を反時計回りに回転させると、第２可動部１４が軸１１４ａ，１１４ｂに対して摺動し左方向へ水平にスライドする。これに伴い、カム溝１４２に係合しているカムピン１３３が、カム溝１４２に対して摺動しながら右斜め上方向へ押し上げられる。これに呼応して、第１可動部１３は、軸１１２ａ，１１２ｂに対して摺動し上方向へ垂直にスライドする。このようにして、第１可動部１３の光学素子保持部１３１に保持されている光学素子１２が、開口部１１１を覆う位置に案内される。【選択図】図２−１
2013130737.tif 000002
【特許請求の範囲】
【請求項１】
外光を透過させる開口部を有するベース部材と、
光学素子と、
前記光学素子を保持しつつ、光軸と直交する平面上を第１の方向へスライド可能な第１可動部と、
前記第１可動部を前記第１の方向へスライド可能にガイド支持する第１ガイド手段と、
前記第１可動部と係合し、光軸と直交する平面上を前記第１の方向とは異なる第２の方向へスライド可能な第２可動部と、
前記第２可動部を前記第２の方向へスライド可能にガイド支持する第２ガイド手段と、
前記第２可動部を前記第２の方向へスライドさせるための駆動力を提供する駆動手段と、
を備え、
前記第１可動部は、前記第２可動部が前記第２の方向へスライドするのに伴い前記第１の方向へスライドして、前記光学素子を前記開口部を覆う位置に案内しまたは前記開口部を覆う位置から退避させることを特徴とする光学装置。
【請求項２】
前記第１の方向と前記第２の方向とは交差しており、
前記第１可動部または前記第２可動部のいずれか一方に、前記第１可動部または前記第２可動部のいずれか他方と係合するカムピンが設けられ、
前記第１可動部または前記第２可動部のいずれか他方に、前記カムピンと係合し光軸と直交する平面上において前記第１の方向および前記第２の方向とは異なる方向へ延びるカム溝が形成されていることを特徴とする請求項１に記載の光学装置。
【請求項３】
前記カム溝は、それぞれ前記第１の方向および前記第２の方向に対して略４５度傾斜して形成されていることを特徴とする請求項２に記載の光学装置。
【請求項４】
前記カム溝の端部には、略前記第２の方向に沿って延伸された、前記カムピンを保持する保持部が形成されていることを特徴とする請求項２または３に記載の光学装置。
【発明の詳細な説明】
【技術分野】
【０００１】
本発明は、光学素子などを光学系の光路中に挿脱する光学装置に関する。
【背景技術】
【０００２】
近年、昼夜を問わず使用可能な監視カメラが普及している。この監視カメラは、撮像素子上に昼間は可視光領域の光を結像させてカラー撮影を行い、夜間は可視光領域の光に加えて近赤外光領域の光を結像させてモノクロ撮影を行う。このような撮影を可能にするため、昼間撮影時には撮像素子前方の光路中に赤外カットフィルタを挿入し、夜間撮影時には同フィルタを光路中から退避させる光学装置が多く提案されている（たとえば、特許文献１〜３を参照。）。
【０００３】
光学フィルタの切替えを行う光学装置では、フィルタの重量が比較的大きいため、装置に振動が加わった場合に容易にフィルタが切り替わってしまうおそれがある。そこで、かかる不具合を回避するため、各特許文献に記載の装置では容易にフィルタが切り替わらないようにするための処置が施されている。
【０００４】
特許文献１に記載の装置は、ラチェット（弾性部材）の強い弾性力を用いて絞りばねに保持力を与え、フィルタの容易な切替りを防止している。特許文献２に記載の装置は、ガルバノメータマグネットの磁力により、支持板の開口部に相対するフィルタの位置を保持して、フィルタの容易な切替りを防止している。特許文献３に記載の装置は、ガルバノメータの駆動力を持続させることにより、フィルタの容易な切替りを防止している。
【先行技術文献】
【特許文献】
【０００５】
【特許文献１】特許第３８０３２７４号公報
【特許文献２】特開２００３−３４８３９８号公報
【特許文献３】特開２００４−３６１５９０号公報
【発明の概要】
【発明が解決しようとする課題】
【０００６】
しかしながら、特許文献１に記載の装置では、フィルタの切替えにはラチェットにより付与されている保持力に抗する強い力で絞りばねを駆動させなければならない。このため、絞りばねを駆動させるガルバノメータの消費電力が増大するという問題が発生する。また、特許文献２に記載の装置では、フィルタ位置を保持するためには常時ガルバノメータマグネットに電力を供給する必要が生じるため、消費電力が増加する傾向にある。特許文献３に記載の装置では、フィルタの駆動に限らず、フィルタ位置の保持にもガルバノメータを駆動する必要があるため、やはりガルバノメータの消費電力が増大するという問題が発生する。
【０００７】
本発明は、上述した従来技術による問題点を解消するため、光学素子などを光学系の光路中に挿脱する際、強い力の駆動源の作動を必要とせず弱い力で光学素子などの位置保持を可能とするとともに、弱い力で光学素子などの駆動を可能にして駆動源の消費電力を低減することができる光学装置を提供することを目的とする。
【課題を解決するための手段】
【０００８】
上述した課題を解決し、目的を達成するため、本発明にかかる光学装置は、外光を透過させる開口部を有するベース部材と、光学素子と、前記光学素子を保持しつつ、光軸と直交する平面上を第１の方向へスライド可能な第１可動部と、前記第１可動部を前記第１の方向へスライド可能にガイド支持する第１ガイド手段と、前記第１可動部と係合し、光軸と直交する平面上を前記第１の方向とは異なる第２の方向へスライド可能な第２可動部と、前記第２可動部を前記第２の方向へスライド可能にガイド支持する第２ガイド手段と、前記第２可動部を前記第２の方向へスライドさせるための駆動力を提供する駆動手段と、を備え、前記第１可動部は、前記第２可動部が前記第２の方向へスライドするのに伴い前記第１の方向へスライドして、前記光学素子を前記開口部を覆う位置に案内しまたは前記開口部を覆う位置から退避させることを特徴とする。
【０００９】
さらに、本発明にかかる光学装置は、前記発明において、前記第１の方向と前記第２の方向とが交差しており、前記第１可動部または前記第２可動部のいずれか一方に、前記第１可動部または前記第２可動部のいずれか他方と係合するカムピンが設けられ、前記第１可動部または前記第２可動部のいずれか他方に、前記カムピンと係合し光軸と直交する平面上において前記第１の方向および前記第２の方向とは異なる方向へ延びるカム溝が形成されていることを特徴とする。
【００１０】
さらに、本発明にかかる光学装置は、前記発明において、前記カム溝は、それぞれ前記第１の方向および前記第２の方向に対して略４５度傾斜して形成されていることを特徴とする。
【００１１】
さらに、本発明にかかる光学装置は、前記発明において、前記カム溝の端部には、略前記第２の方向に沿って延伸された、前記カムピンを保持する保持部が形成されていることを特徴とする。
【発明の効果】
【００１２】
本発明によれば、光学素子などを光学系の光路中に挿脱する際、強い力で駆動源の作動を必要とせず弱い力で光学素子などの位置保持を可能とするとともに、弱い力で光学素子などの駆動を可能にして駆動源の消費電力を低減することができる光学装置を提供することができるという効果を奏する。
【図面の簡単な説明】
【００１３】
【図１】実施の形態１にかかる光学装置の分解斜視図である。
【図２−１】実施の形態１にかかる光学装置の動作を説明するための図である。
【図２−２】実施の形態１にかかる光学装置の動作を説明するための図である。
【図３】実施の形態２にかかる光学装置の分解斜視図である。
【図４−１】実施の形態２にかかる光学装置の動作を説明するための図である。
【図４−２】実施の形態２にかかる光学装置の動作を説明するための図である。
【図５−１】実施の形態３にかかる光学装置の動作を説明するための図である。
【図５−２】実施の形態３にかかる光学装置の動作を説明するための図である。
【発明を実施するための形態】
【００１４】
以下、添付図面を参照して、本発明にかかる光学装置の好適な実施の形態を詳細に説明する。
【００１５】
（実施の形態１）
図１は、実施の形態１にかかる光学装置の分解斜視図である。実施の形態１にかかる光学装置は、ベース部材１１と、光学素子１２と、第１可動部１３と、第２可動部１４と、レバー１５と、駆動源１６と、を備えている。
【００１６】
ベース部材１１の略中央部から上方寄りの位置に、略円形の開口部１１１が形成されている。開口部１１１の中心は、ベース部材１１の縦の中心線上に位置している。開口部１１１の斜め下方には、それぞれ軸１１２ａ，１１２ｂが図示しない物体側へ突出形成されている。軸１１２ａと軸１１２ｂとは、ベース部材１１の縦の中心線に対して線対称の位置にある。
【００１７】
また、ベース部材１１の左側やや下方には、突起部１１３ａ，１１３ｂが形成されている。突起部１１３ａ，１１３ｂの厚みは、第１可動部１３の厚みと同等である。突起部１１３ａ，１１３ｂのそれぞれ頂部からは、軸１１４ａ，１１４ｂが突出形成されている。なお、軸１１４ｂは、軸１１４ａの直下に設けられている。さらに、ベース部材１１の右側下方には、回転中心穴（不図示）が形成されている。この回転中心穴には、駆動源１６の回転軸１６１が挿通される。そして、回転中心穴に挿通された回転軸１６１にレバー１５が取り付けられている。
【００１８】
これにより、駆動源１６の駆動によりレバー１５が回動可能になる。駆動源１６としては、たとえばガルバノメータを用いることが好ましい。また、レバー１５の先端部には、駆動ピン１５１が物体側へ突出形成されている。レバー１５の厚みも第１可動部１３の厚みと同等である。
【００１９】
第１可動部１３は、下方の略左半分が切り欠かれた状態で、略中央部から上方寄りの位置に、略円形の光学素子保持部１３１が形成されている。光学素子保持部１３１には、光学素子１２が保持される。光学素子１２としては、レンズ群はもちろん、赤外カットフィルタや光透過フィルタや減光（ＮＤ）フィルタ、シャッタなどが該当する。
【００２０】
光学素子保持部１３１の左右方向の側部１３ａ，１３ｂの近傍には、それぞれ直進ガイド溝１３２ａ，１３２ｂが形成されている。直進ガイド溝１３２ａ，１３２ｂは、互いに平行で、ともに第１可動部１３の可動方向へ延びるように形成されている。直進ガイド溝１３２ａ，１３２ｂは、大きさ、形状とも同一であり、互いに第１可動部１３の縦の中心線に対して線対称な位置にある。また、第１可動部１３の右下方の先端近傍には、カムピン１３３が物体側へ突出形成されている。
【００２１】
第２可動部１４の略中央部より左側の上側部１４ａおよび下側部１４ｂの近傍には、それぞれ直進ガイド溝１４１ａ，１４１ｂが形成されている。直進ガイド溝１４１ａ，１４１ｂは、大きさ、形状とも同一であり、互いに平行で、ともに第２可動部１４の可動方向へ延びるように形成されている。
【００２２】
また、第２可動部１４の略中央部から右斜め上方向へ延びるように、カム溝１４２が形成されている。このカム溝１４２は、第２可動部１４の可動方向に対して略４５度の方向に延びるように形成されることが好ましい。さらに、第２可動部１４の右側部１４ｃの近傍に、第２可動部１４の可動方向に対して略垂直方向へ延びるように、溝１４３が形成されている。
【００２３】
次に、図１を参照しながら実施の形態１にかかる光学装置の組み立て手順を説明する。まず、ベース部材１１の回転中心穴（不図示）に駆動源１６の回転軸１６１を挿通し、さらに回転軸１６１にレバー１５を取り付ける。続けて、ベース部材１１の軸１１２ａ，１１２ｂに第１可動部１３の直進ガイド溝１３２ａ，１３２ｂをそれぞれ嵌め込み、第１可動部１３をベース部材１１に取り付ける。軸１１２ａと直進ガイド溝１３２ａ、および軸１１２ｂと直進ガイド溝１３２ｂで第１ガイド手段が構成される。
【００２４】
これにより、第１可動部１３は、軸１１２ａ，１１２ｂに対して摺動し、ベース部材１１の面に沿って上下方向（第１の方向）へのスライドが可能になる。この結果、光学素子保持部１３１に保持されている光学素子１２を、開口部１１１を覆う位置に案内しまたは開口部１１１を覆う位置から退避させることができるようになる。最後に、ベース部材１１の軸１１４ａ，１１４ｂ、第１可動部１３のカムピン１３３、レバー１５の駆動ピン１５１に、それぞれ第２可動部１４の直進ガイド溝１４１ａ，１４１ｂ、カム溝１４２、溝１４３を嵌め込む。軸１１４ａと直進ガイド溝１４１ａ、および軸１１４ｂと直進ガイド溝１４１ｂで第２ガイド手段が構成される。
【００２５】
このようにすることで、カムピン１３３とカム溝１４２とが係合状態を保ちながら、第２可動部１４が、軸１１４ａ，１１４ｂに対して摺動し、ベース部材１１の面に沿って左右方向（第２の方向）へのスライドが可能になる。第１可動部１３の可動方向と、第２可動部１４の可動方向とは、直交している。
【００２６】
なお、特に図示しないが、第１可動部１３および第２可動部１４がベース部材１１から外れないように、また第１可動部１３と第２可動部１４との係合状態を保持するために、駆動ピン１５１、軸１１２ａ，１１２ｂ，１１４ａ，１１４ｂ、カムピン１３３の先端部には、止め具などを取り付けるとよい。また、止め具を用いずに、第１可動部１３、第２可動部１４が取り付けられた状態でベース部材１１全体を覆う、開口部を有するカバー板を取り付けてもよい。
【００２７】
図２−１，図２−２は、実施の形態１にかかる光学装置の動作を説明するための図である。図２−１は、光学素子保持部１３１に保持されている光学素子１２を開口部１１１から退避させた状態を示している。図２−２は、光学素子保持部１３１に保持されている光学素子１２を開口部１１１を覆う位置に案内した状態を示している。ベース部材１１は光軸に対し垂直な位置に配置され、開口部１１１の中心が光軸と一致する。したがって、第１可動部１３および第２可動部１４は、光軸に対して垂直方向にスライドする。
【００２８】
図２−１において、駆動源（不図示）が駆動し、レバー１５が反時計回りに回転すると、第２可動部１４が軸１１４ａ，１１４ｂに対して摺動し左方向へ水平にスライドする。これに伴い、カム溝１４２に係合しているカムピン１３３が、カム溝１４２に対して摺動しながら右斜め上方向へ押し上げられる。これに呼応して、第１可動部１３は、軸１１２ａ，１１２ｂに対して摺動し上方向へ垂直にスライドする。このようにして、図２−２に示すように、第１可動部１３の光学素子保持部１３１に保持されている光学素子１２が、開口部１１１を覆う位置に案内される。
【００２９】
図２−２の状態から図２−１の状態へ切替える場合は、図２−２において、駆動源（不図示）を駆動して、レバー１５を時計回りに回転させ、第２可動部１４を軸１１４ａ，１１４ｂに対して摺動させ右方向へ水平にスライドさせる。これにより、カム溝４２に係合しているカムピン１３３はカム溝１４２を摺動しながら左斜め下方向へ押し下げられる。これに呼応して、第１可動部１３は、軸１１２ａ，１１２ｂに対して摺動し下方向へ垂直にスライドする。
【００３０】
従来は、第２可動部１４を設けず、レバー１５の回転力を直接第１可動部１３へ伝え、レバー１５の回転力を第１可動部１３の上方向移動の推進力に変換する手法をとっていたため、重量のある光学素子１２を保持する第１可動部１３を開口部１１１から退避させた状態または開口部１１１を覆う位置に案内した状態に保持させるためには強い弾性力をもつ部材等からなるストッパなどを設ける必要があった。そのため、第１可動部１３を移動させるのに強い弾性力に抗してレバー１５を強い力で回転させなければならず、駆動源の消費電力が増大するという問題があった。また、ストッパなどを設けない場合は、駆動源の駆動を継続させる必要があるため、やはり駆動源の消費電力が増大するという問題があった。
【００３１】
これに対し、実施の形態１の光学装置では、前述のように、第２可動部１４を設け、レバー１５の回転力を第２可動部１４を介して第１可動部１３へ伝達することにより、第１可動部１３が重力の影響で位置ずれが起きにくくなっている。すなわち、重力の影響で第１可動部１３の位置ずれが起きる場合は、段階の力の変換が生じて、第２可動部１４も移動することになるため、第２駆動部１４が第１駆動部１３の位置ずれに抵抗力を有する構成となっている。結果的には、強い弾性力をもつ部材で第１可動部１３を開口部１１１から退避させた状態または開口部１１１を覆う位置に案内した状態に保持させることができる。このため、レバー１５を従来に比べて弱い力で回転させても、弱い弾性力に抗して第１可動部１３を移動させることができ、第１可動部１３の動作に不都合を生じさせることなく、駆動源の消費電力を低減させることができる。
【００３２】
なお、カム溝１４２の延びる方向であるが、カム溝１４２の第２可動部１４の可動方向に対する角度が小さければより小さい力で第１可動部１３を可動させることができるが、第２可動部１４の可動領域が広くなってしまうという問題が生じる。そこで、第２可動部１４の可動領域をできる限り狭くしつつ、できる限り小さい力で第１可動部１３を可動させるためには、カム溝１４２は第２可動部１４の可動方向（第２の方向）および第１可動部１３の可動方向（第１の方向）のいずれに対しても略４５度の方向に形成されていることが好ましい。
【００３３】
実施の形態１の光学装置では、軸１１２ａと直進ガイド溝１３２ａ、および軸１１２ｂと直進ガイド溝１３２ｂで第１ガイド手段を、軸１１４ａと直進ガイド溝１４１ａ、および軸１１４ｂと直進ガイド溝１４１ｂで第２ガイド手段を構成した例を示したが、当該ガイド手段の構成は限定されない。
【００３４】
たとえば、第１ガイド手段は、第１可動部１３の側部１３ａ，１３ｂを挟み込んで第１可動部１３をベース部材１１に対して上下方向に摺動可能にするレールなどで形成してもよい。また、第２ガイド手段は、第２可動部１４の上側部１４ｄと下側部１４ｂを挟み込んで第２可動部１４をベース部材１１に対して左右方向に摺動可能にするレールなどで形成してもよい。
【００３５】
さらに、実施の形態１の光学装置では、第１可動部１３の光学素子保持部１３１に、光学素子１２に代えてシャッタ部材を保持することも可能である。このようにすることで、この光学装置をシャッタ装置として使用することが可能である。
【００３６】
実施の形態１では、光学装置が鉛直に配置されている例を示した。しかし、この光学装置は必ずしも鉛直に配置されている必要はなく、たとえば傾斜した状態で配置されていても動作に不都合は生じない。また、ここでは、図の左側を物体側として説明をしたが、この光学装置が搭載される光学系の設計によっては、物体側と像側を入れ替えても差し支えない。
【００３７】
（実施の形態２）
図３は、実施の形態２にかかる光学装置の分解斜視図である。実施の形態２にかかる光学装置は、ベース部材１１と、光学素子１２と、第１可動部２３と、第２可動部２４と、レバー１５と、駆動源１６と、を備えている。実施の形態２は、実施の形態１の第１の変形例であり、次に示す第１可動部２３、第２可動部２４以外の構成は、実施の形態１に示したものと同様である。
【００３８】
第１可動部２３は、下方の略右半分が切り欠かれた状態で、略中央部から上方寄りの位置に、略円形の光学素子保持部２３１が形成されている。光学素子保持部２３１には、光学素子１２が保持される。光学素子保持部２３１の左右方向の第１可動部２３の側部２３ａ、２３ｂの近傍には、それぞれ直進ガイド溝２３２ａ，２３２ｂが形成されている。
【００３９】
直進ガイド溝２３２ａ，２３２ｂは、互いに平行で、ともに第１可動部２３の可動方向へ延びるように形成されている。直進ガイド溝２３２ａ，２３２ｂは、大きさ、形状とも同一であり、互いに第１可動部２３の縦の中心線に対して線対称な位置にある。また、第１可動部２３の下部から右斜め上方向へ延びるように、カム溝２３３が形成されている。このカム溝２３３は、実施の形態１の第２可動部１４に形成されたカム溝１４２に代えて形成されたもので、カム溝１４２と同等の大きさ、形状を有している。カム溝２３３は、第１可動部２３の可動方向に対して略４５度の方向に延びるように形成されていることが好ましい。
【００４０】
第２可動部２４の略中央部より左側の上側部２４ａおよび下側部２４ｂの近傍には、それぞれ直進ガイド溝２４１ａ，２４１ｂが形成されている。直進ガイド溝２４１ａ，２４１ｂは、大きさ、形状とも同一であり、互いに平行で、ともに第２可動部２４の可動方向へ延びるように形成されている。また、第２可動部２４の像側面の略中央部には、カムピン２４２が突出形成されている。このカムピン２４２は、実施の形態１の第１可動部１３に形成されたカムピン１３３に代えて形成されたもので、カムピン１３３と同等の大きさ、形状を有している。さらに、第２可動部２４の右側部２４ｃの近傍に、第２可動部２４の可動方向に対して略垂直方向へ延びるように、溝２４３が形成されている。
【００４１】
次に、図３を参照しながら実施の形態２にかかる光学装置の組み立て手順を説明する。まず、ベース部材１１の回転中心穴（不図示）に駆動源１６の回転軸１６１を挿通し、さらに回転軸１６１にレバー１５を取り付ける。続けて、ベース部材１１の軸１１２ａ，１１２ｂに第１可動部２３の直進ガイド溝２３２ａ，２３２ｂをそれぞれ嵌め込み、第１可動部２３をベース部材１１に対して取り付ける。軸１１２ａと直進ガイド溝２３２ａ、および軸１１２ｂと直進ガイド溝２３２ｂで第１ガイド手段が構成される。
【００４２】
これにより、第１可動部２３は、軸１１２ａ，１１２ｂに対して摺動し、ベース部材１１の面に沿って図の上下方向（第１の方向）へのスライドが可能になる。この結果、光学素子保持部２３１に保持されている光学素子１２を、開口部１１１を覆う位置に案内しまたは開口部１１１を覆う位置から退避させることができるようになる。
【００４３】
最後に、ベース部材１１の軸１１４ａ，１１４ｂ、レバー１５の駆動ピン１５１に対して、それぞれ第２可動部２４の直進ガイド溝２４１ａ，２４１ｂ、溝２４３を嵌め込み、同時に、第１可動部２３のカム溝２３３に第２可動部２４のカムピン２４２を嵌め込む。軸１１４ａと直進ガイド溝２４１ａ、および軸１１４ｂと直進ガイド溝２４１ｂで第２ガイド手段が構成される。このようにすることで、カムピン２４２とカム溝２３３とが係合状態を保ちながら、第２可動部２４が、軸１１４ａ，１１４ｂに対して摺動し、ベース部材１１の面に沿って左右方向（第２の方向）へのスライドが可能になる。第１可動部２３の可動方向と、第２可動部２４の可動方向とは、直交している。
【００４４】
なお、特に図示しないが、第１可動部２３および第２可動部２４がベース部材１１から外れないように、また第１可動部１３と第２可動部１４との係合状態を保持するために、駆動ピン１５１、軸１１２ａ，１１２ｂ，１１４ａ，１１４ｂの先端部には、止め具などを取り付けるとよい。また、止め具を用いずに、第１可動部２３、第２可動部２４が取り付けられた状態でベース部材１１全体を覆う、開口部を有するカバー板を取り付けてもよい。
【００４５】
図４−１，図４−２は、実施の形態２にかかる光学装置の動作を説明するための図である。図４−１は、光学素子保持部２３１に保持されている光学素子１２を開口部１１１から退避させた状態を示している。図４−２は、光学素子保持部２３１に保持されている光学素子１２を開口部１１１を覆う位置に案内した状態を示している。
【００４６】
実施の形態２では、カム溝２３３を第１可動部２３に、カムピン２４２を第２可動部２４に形成した点以外の構成は、すべて実施の形態１に示した光学装置と同様である。第２可動部２４と第１可動部２３との係合状態、および第２可動部２４に対する第１可動部２３の動作も実施の形態１と同様であるため、動作説明は省略する。また、この動作によりもたらされる効果も実施の形態１の場合とまったく同様であるため、説明は省略する。
【００４７】
（実施の形態３）
図５−１，図５−２は、実施の形態３にかかる光学装置の動作を説明するための図である。図５−１は、光学素子保持部１３１に保持されている光学素子１２を開口部１１１から退避させた状態を示している。図５−２は、光学素子保持部１３１に保持されている光学素子１２を開口部１１１を覆う位置に案内した状態を示している。
【００４８】
実施の形態３は、実施の形態１の第２の変形例である。すなわち、第２可動部１４に形成されたカム溝１４２の両先端に、カムピン１３３を保持するための保持部１４２ａ，１４２ｂがそれぞれ第２可動部１４の可動方向（第２の方向）へ延びるように形成されており、カム溝１４２全体で略Ｓ字形状をなしている。この構成以外は、実施例１の光学装置とまったく同様である。
【００４９】
実施の形態３の光学装置は、実施の形態１の装置と同様に動作する。加えて、図５−１に示すように、開口部１１１が全開の場合、カムピン１３３が保持部１４２ａに保持されることで、第２可動部１４の左右方向への可動を一時的にブロックして、第１可動部１３の位置ずれを防止することができる。一方、図５−２に示すように、開口部１１１全体が光学素子１２で覆われている場合も、カムピン１３３が保持部１４２ｂに保持されることで、第２可動部１４の左右方向への可動を一時的にブロックして、第１可動部１３の位置ずれを防止することができる。
【００５０】
以上のように、実施の形態３にかかる光学装置は、保持部１４２ａ，１４２ｂを形成したことにより、弾性部材等からなるストッパなどを設けなくとも、各保持部でカムピン１３３を保持することで第２可動部１４の可動を阻止して、第１可動部１３の位置ずれを防止することができる。なお、保持部１４２ａ，１４２ｂとそれら以外のカム溝１４２の部分とのなす角は緩やかに形成されている。このため、カムピン１３３を一方の保持部から外して他方の保持部の方向へ向かわせるために、第２可動部１４が必要とする力はあまり強くなくても済む。このため、駆動源の消費電力が増大することはない。
【産業上の利用可能性】
【００５１】
以上のように、本発明にかかる光学装置は、赤外カットフィルタなどの光学素子の切替えが必要とされる撮像装置に有用であり、特に、省電力化が要求される撮像機器に適している。
【符号の説明】
【００５２】
１１  ベース部材
１２  光学素子
１３，２３  第１可動部
１４，２４  第２可動部
１５  レバー（駆動手段）
１６  駆動源
１１１  開口部
１１２ａ，１１２ｂ，１１４ａ，１１４ｂ  軸
１３１，２３１  光学素子保持部
１３２ａ，１３２ｂ，１４１ａ，１４１ｂ，２３２ａ，２３２ｂ，２４１ａ，２４１ｂ    直進ガイド溝
１３３，２４２  カムピン
１４２，２３３  カム溝
１４２ａ，１４２ｂ  保持部
【図１】
2013130737.tif 000003
【図２−１】
2013130737.tif 000004
【図２−２】
2013130737.tif 000005
【図３】
2013130737.tif 000006
【図４−１】
2013130737.tif 000007
【図４−２】
2013130737.tif 000008
【図５−１】
2013130737.tif 000009
【図５−２】
2013130737.tif 000010